(57)【要約】【課題】  非線形な特性を持つレーザーダイオードで、記録開始時の記録レーザーパワーが高い場合にも、指定された記録レーザーパワーを的確に発光させることができる光ディスク記録制御方法を提供する。【解決手段】  起動時のレーザー特性取得処理の際、パルス発光状態で、高パワー領域までレーザー発光させる。低パワー領域から高パワー領域までの範囲で、４点の目標発光量を設定し、レーザー特性を取得する。そして、記録開始時の実際のパワーに近い特性に基づいて、記録開始時のレーザーパワーを制御する。【選択図】  図１
2008299985.tif 000002
【特許請求の範囲】
【請求項１】
レーザー発光時にレーザーダイオード（ＬＤ）から出射される光量を検出して、電気信号に変換する光量検出部と、再生系及び記録系でそれぞれ異なる系を用いて、前記光量検出部から出力される電気信号をサンプル・ホールドするサンプルホールド回路と、前記サンプルホールド回路への入力電圧を、リファレンス電圧に切り替え可能なスイッチと、前記サンプル・ホールドされた電気信号をデジタル値に変換するＡＤコンバータと、前記デジタル値に変換された値を使用して、レーザーダイオードドライバー（ＬＤＤ）への駆動値を算出する駆動値制御部と、前記算出された駆動値をアナログ的な電気信号に変換するＤＡコンバータとを備えた光ディスク装置における、記録時のレーザーパワーを制御する光ディスク記録制御方法において、
前記光ディスク装置の電源投入後に、前記レーザーダイオードをパルス発光させて、低パワー領域から高倍速記録時の高記録レーザーパワーに相当する高パワー領域までの範囲内におけるレーザー特性取得処理を開始し、
前記レーザー特性の取得のための目標発光量を、低パワー領域から前記高パワー領域までの範囲内で、少なくとも３点以上設定し、
前記設定された複数の目標発光量の、隣接する２点間のレーザー発光検出値とその発光に要したレーザー駆動電流量との関係をレーザー特性として取得し、
前記取得したレーザー特性のうちの、実際の記録を行う際に指定される記録開始時の記録レーザーパワーに最も近い領域のレーザー特性を使用して、記録時のレーザー駆動電流量を決定する、
ことを特徴とする光ディスク記録制御方法。
【請求項２】
請求項１に記載の光ディスク記録制御方法において、
前記レーザー特性取得処理時のレーザー発光は、実際の記録中に使用する波形と同じ波形を使用して出力させる、
ことを特徴とする光ディスク記録制御方法。
【請求項３】
請求項２に記載の光ディスク記録制御方法において、
前記実際の記録中に使用するレーザー光の波形が、１つのマーク信号で複数の異なるパワーレベルを有するものであり、
前記レーザー特性取得処理時に、前記実際の記録中に使用するレーザー光のいずれものパワーレベルにおける目標発光量とその発光に要したレーザー駆動電流量との関係をレーザー特性として取得する、
ことを特徴とする光ディスク記録制御方法。
【請求項４】
請求項１に記載の光ディスク記録制御方法において、
前記レーザーダイオードの記録動作中の温度を監視し、
前記レーザーダイオードの温度が、記録開始時の温度からある一定の温度の上昇が検出されると、前記記録動作が中断したときに、前記レーザー特性取得処理を再度行い、
前記再度取得したレーザー特性に基づいて、前記記録動作の再開時に必要なレーザー駆動電流量を算出する、
ことを特徴とする光ディスク記録制御方法。
【請求項５】
請求項４に記載の光ディスク記録制御方法において、
前記レーザー特性の再取得処理において、前記記録動作の再開時の記録レーザーパワーが予め分かっているとき、前記レーザー特性の再取得処理の目標発光点を、前記予め分かっている記録レーザーパワーを含むその前後２点のみに絞り込む、
ことを特徴とする光ディスク記録制御方法。
【請求項６】
請求項１に記載の光ディスク記録制御方法において、
前記実際の記録時に使用する記録レーザー光の波形が、１つのマーク信号で異なるパワーレベルを有し、そのうちの一方のパワーレベルが前記サンプル・ホールド回路による検出が困難である所定のレベルであるとき、前記レーザー特性取得処理時に前記所定のレベルにおけるレーザー特性を取得し、該取得したレーザー特性を使用して、前記記録時の駆動電流量を決定する、
ことを特徴とする光ディスク記録制御方法。
【請求項７】
請求項１に記載の光ディスク記録制御方法において、
前記実際の記録中に使用するレーザー光の波形が、１つのマーク信号で異なるパワーレベルを有するものであり、
前記レーザー特性取得処理時に、前記レーザーダイオードドライバーの出力を複数段階に分けて前記レーザー光のパワーレベルごとに担当させ、いずれものパワーレベルにおける目標発光量とその発光に要したレーザー駆動電流量との関係をレーザー特性として取得する、
ことを特徴とする光ディスク記録制御方法。
【発明の詳細な説明】
【技術分野】
【０００１】
本発明は、光ディスク装置の記録開始時の記録レーザー発光パワーが、高倍速ＣＡＶ（ｃｏｎｓｔａｎｔ  ａｎｇｕｌａｒ  ｖｅｌｏｃｉｔｙ）記録のように高くなる場合にも、記録開始時から安定した記録パワーにより記録可能とする方法に関するものである。
【背景技術】
【０００２】
光ディスク装置の記録時のレーザーパワーを制御するためには、まず、光ディスク装置の電源投入後にレーザー発光を行い、レーザーの特性取得処理を行う。そして、取得したレーザ特性に基づいて、再生・記録時に必要とする最適なレーザー発光量を算出し、記録時のレーザーパワーを制御する。
【０００３】
図７に、レーザー特性取得処理に必要なレーザー発光に関する駆動系の経路と、レーザー発光に関する検出系の経路とを備えた光ディスク装置の概略構成を示す。
【０００４】
図７において、レーザーダイオード（ＬＤ）１０１は、レーザーダイオードドライバー（ＬＤＤ）１０９から供給された電流量にしたがって光量を出力する。
【０００５】
光量検出部１０２は、レーザーダイオード（ＬＤ）１０１から出射されるレーザー出射光にて取得したレーザー出射波形の光量を検出する。
【０００６】
スイッチ１０３は、サンプル・ホールド（ＳＨ）回路の入力電圧を変更するスイッチであり、光量検出部１０２から出力される電気信号、あるいはリファレンス電圧を、記録系サンプル・ホールド（ＳＨ）回路１０４または再生系サンプル・ホールド（ＳＨ）回路１０５に入力する。
【０００７】
記録系サンプル・ホールド（ＳＨ）回路１０４は、記録信号で駆動されたレーザーダイオード（ＬＤ）１０１から出射される記録時のレーザー出射光にて取得したレーザー出射波形の信号をサンプル・ホールド（ＳＨ）する。
【０００８】
再生系サンプル・ホールド（ＳＨ）回路１０５は、再生信号で駆動されたレーザーダイオード（ＬＤ）１０１から出射される再生時のレーザー出射光にて取得したレーザー出射波形の信号をサンプル・ホールド（ＳＨ）する。
【０００９】
ＡＤコンバータ１０６は、記録系サンプル・ホールド（ＳＨ）回路１０４あるいは再生系サンプル・ホールド（ＳＨ）回路１０５から出力されたアナログ的な電気信号をデジタル値に変換して駆動値制御部１０７に伝送するものである。
【００１０】
駆動値制御部１０７は、ＡＤコンバータ１０６からデジタル値を入力し、ＤＡコンバータ１０８へ駆動値をデジタル値のまま伝送するものである。
【００１１】
ＤＡコンバータ１０８は、駆動値制御部１０７から入力されたデジタル値である駆動値をアナログ的な電気信号に変換してレーザーダイオードドライバー１０９へ伝送するものである。
【００１２】
レーザーダイオードドライバー（ＬＤＤ）１０９は、ＤＡコンバータ１０８から入力された電気信号に従って、レーザーダイオード（ＬＤ）１０１に駆動電流を供給する。
【００１３】
なお、図７において、レーザーダイオード１０１の出力の矢印からＡＤコンバータ１０６の出力の矢印までが検出系の経路であり、駆動値制御部１０７自身からレーザーダイオード１０１自身までが駆動系の経路である。
【００１４】
以上のような構成の光ディスク装置の記録レーザーパワーの制御方法について説明する。
まず、ＤＣ発光状態でレーザー発光を行う場合のレーザー特性取得処理について図８を用いて説明する。
【００１５】
図８（ａ）は、駆動電流とレーザー発光量の関係を表したものである。図８（ａ）において、横軸は、レーザーダイオードドライバー１０９から出力される駆動電流であり、縦軸は、レーザーダイオード１０１から出射されるレーザー発光量である。図８（ｂ）は、時間とレーザー発光量の関係を表したものである。図８（ｂ）において、横軸は、レーザー特性取得処理の時間方向軸であり、縦軸は、レーザー発光量を表す。Ｔ１は、１点目の目標発光量Ｌ１に到達した際の駆動値とレーザー発光量を駆動値制御部１０７が記憶することに要している区間であり、Ｔ２は、２点目の目標発光量Ｌ２に到達した際の駆動値とレーザー発光量を駆動値制御部１０７が記憶することに要している区間である。
【００１６】
まず、レーザー特性を取得するために、第１の目標発光量Ｌ１と第２の目標発光量Ｌ２を設定する。そして、駆動電流の供給量をＤＣ発光方式で増やし、第１の目標発光量Ｌ１に到達すると、そのときの駆動電流値を、駆動値制御部１０７に記憶させ、第２の目標発光量Ｌ２に到達すると、そのときの駆動電流値を、駆動値制御部１０７に記憶させる。
【００１７】
そして、上記２点間の駆動電流値とレーザー発光量の関係からレーザー特性を求め、駆動値制御部１０７に記憶させる。
【００１８】
実際の記録を開始させる際には、別途指定される記録開始時の目標レーザー発光量と、レーザー特性取得処理で求めたレーザー特性とに基づいて、必要な駆動電流値を算出し、該算出した値を記録開始時における駆動電流値として駆動値制御部１０７がＤＡコンバータ１０８に設定する。
【００１９】
レーザー特性が悪い場合、目標の発光量に到達するために必要な駆動電流が多くなり、その分処理時間が増えてしまうが、上述したレーザー特性取得処理では、ＤＣ発光状態でレーザー発光を行っているため、効率が悪く、レーザー保護の観点で良好とはいえない。そこで、ＤＣ発光状態ではなく、パルス発光状態でレーザー発光させる方法が提案されている。
【００２０】
図１０に、パルス発光状態でレーザー発光を行う場合のレーザー特性取得処理を示す。
図１０（ａ）は、駆動電流とレーザー発光量の関係を表したものである。図１０（ａ）において、横軸は、レーザーダイオードドライバー１０９から出力される駆動電流であり、縦軸は、レーザーダイオード１０１から出射されるレーザー発光量である。
【００２１】
図１０（ｂ）は、時間とレーザー発光量の関係を表したものである。図１０（ｂ）において、横軸は、レーザー特性取得処理の時間方向軸であり、縦軸は、レーザー発光量を表す。Ｔ３は、１点目の目標発光量Ｌ７に到達した際の駆動値とレーザー発光量を駆動値制御部１０７が記憶することに要している区間であり、Ｔ４は、２点目の目標発光量Ｌ８に到達した際の駆動値とレーザー発光量を駆動値制御部１０７が記憶することに要している区間である。
【００２２】
まず、レーザー特性を取得するために、第１の目標発光量Ｌ７と第２の目標発光量Ｌ８を設定する。そして、駆動電流の供給量をパルス発光方式で増やし、第１の目標発光量Ｌ７に到達すると、そのときの駆動電流値を駆動値制御部１０７が記憶し、第２の目標発光量Ｌ８に到達すると、そのときの駆動電流値を駆動値制御部１０７が記憶する。
【００２３】
そして、２点間の駆動電流値対レーザー発光量の関係からレーザー特性を求め、駆動値制御部１０７に記憶させる。
【００２４】
実際の記録を開始させる際には、別途指定される記録開始時の目標レーザー発光量とレーザー特性取得処理で求めたレーザー特性とから、必要な駆動電流値を算出して、それを記録開始時における駆動電流値として駆動値制御部１０７がＤＡコンバータ１０８に設定する。
【００２５】
以上のように、従来の光ディスクの再生・記録装置では、安定した再生・記録を実現するために、起動時にレーザー出射光を用いて、固定値で２点のパワーレベルを目標にして、その目標パワーがそれぞれ検出されるまで、レーザーダイオードへの駆動値を上げていき、レーザーの駆動値に対するパワーの特性を取得していた。
【特許文献１】特開２００２−１５０５９０号公報
【特許文献２】特開２００２−４２３６４号公報
【特許文献３】特開２００２−３５８６８２号公報
【特許文献４】特開２００３−３１７２９５号公報
【発明の開示】
【発明が解決しようとする課題】
【００２６】
しかしながら上記従来のレーザー特性取得処理では、目標パワーとしている２点のパワーレベルは低パワー領域で設定されているため、高倍速記録時の実記録パワーとの乖離が大きくなっている。そのため、実際のレーザー特性が高パワー領域で非線形となる場合には、実記録パワーとして高パワーを設定しようとしても、低い目標パワーで定まった学習結果の特性を使用することになり、目標パワーからずれたパワーに設定されてしまう可能性がある。
【００２７】
以下、記録開始時の目標となるレーザー発光量が高倍速のＣＡＶ記録のように高くなる場合の問題点について、図９を用いて詳細に説明する。
【００２８】
図９に、従来のレーザー特性取得処理において算出されるレーザー特性と、実際のレーザー特性とを示す。図９において、横軸は、レーザーダイオードドライバー１０９から出力される駆動電流であり、縦軸は、レーザーダイオード１０１から出射されるレーザー発光量である。
【００２９】
従来のレーザー特性取得処理では、１点目の目標発光量Ｌ３および２点目の目標発光量Ｌ４のそれぞれの発光に要した駆動電流値から、レーザー特性の理想値２０１を算出し、例えば、記録開始時に必要となるレーザー発光量がＬ６であるとき、Ｃ１の値を駆動電流値として決定する。
【００３０】
しかしながら、図９に示したように、レーザーダイオードが有するレーザー特性の実測値２０２は、非線形であるため、Ｃ１の駆動電流値では、Ｌ５のレーザー発光量しか得られない。目標発光量Ｌ６に到達するためには、Ｃ２の駆動電流値が必要となる。
【００３１】
このように、算出されるレーザー特性２０１に基づいて駆動電流値を決定すると、実際には記録開始時のレーザー発光量が、指定されたレーザー発光量よりも低くなってしまう。そのため、実際の高倍速記録時の高記録レーザーパワー相当のレベルまでレーザー発光を行い、Ｌ３，Ｌ４のような低パワー領域だけでなく、Ｌ５，Ｌ６のように、実際の記録時に想定される高パワー領域においても、目標発光量の設定を行うことが望まれる。
【００３２】
本発明は、上記従来の問題点を解決するもので、非線形な特性を持つレーザーダイオードで、記録開始時の記録レーザーパワーが高い場合にも、指定された記録レーザーパワーを的確に発光させることのできる光ディスク記録制御方法を提供することを目的とする。
【課題を解決するための手段】
【００３３】
上記課題を解決するために、本発明の請求項１に係る光ディスク記録制御方法は、レーザー発光時にレーザーダイオード（ＬＤ）から出射される光量を検出して、電気信号に変換する光量検出部と、再生系及び記録系でそれぞれ異なる系を用いて、前記光量検出部から出力される電気信号をサンプル・ホールドするサンプルホールド回路と、前記サンプルホールド回路への入力電圧を、リファレンス電圧に切り替え可能なスイッチと、前記サンプル・ホールドされた電気信号をデジタル値に変換するＡＤコンバータと、前記デジタル値に変換された値を使用して、レーザーダイオードドライバー（ＬＤＤ）への駆動値を算出する駆動値制御部と、前記算出された駆動値をアナログ的な電気信号に変換するＤＡコンバータとを備えた光ディスク装置における、記録時のレーザーパワーを制御する光ディスク記録制御方法において、前記光ディスク装置の電源投入後に、前記レーザーダイオードをパルス発光させて、低パワー領域から高倍速記録時の高記録レーザーパワーに相当する高パワー領域までの範囲内におけるレーザー特性取得処理を開始し、前記レーザー特性の取得のための目標発光量を、低パワー領域から前記高パワー領域までの範囲内で、少なくとも３点以上設定し、前記設定された複数の目標発光量の、隣接する２点間のレーザー発光検出値とその発光に要したレーザー駆動電流量との関係をレーザー特性として取得し、前記取得したレーザー特性のうちの、実際の記録を行う際に指定される記録開始時の記録レーザーパワーに最も近い領域のレーザー特性を使用して、記録時のレーザー駆動電流量を決定する、ことを特徴とする。
【００３４】
これにより、非線形の特性を持つレーザーダイオードを用いた記録開始時にも安定した記録レーザーパワーで記録を開始することができる。
【００３５】
また、本発明の請求項２に係る光ディスク記録制御方法は、請求項１に記載の光ディスク記録制御方法において、前記レーザー特性取得処理時のレーザー発光は、実際の記録中に使用する波形と同じ波形を使用して出力させる、ことを特徴とする。
【００３６】
これにより、よりレーザー発光検出が実際の記録時に近い検出となり、前記レーザー発光量検出値とその発光に要した駆動電流値との関係が正確に求まることで、取得するレーザー特性が正確になり、非線形の特性を持つレーザーダイオードを用いた記録開始時にも安定した記録レーザーパワーで記録を開始することができる。
【００３７】
また、本発明の請求項３に係る光ディスク記録制御方法は、請求項２に記載の光ディスク記録制御方法において、前記実際の記録中に使用するレーザー光の波形が、１つのマーク信号で複数の異なるパワーレベルを有するものであり、前記レーザー特性取得処理時に、前記実際の記録中に使用するレーザー光のいずれものパワーレベルにおける目標発光量とその発光に要したレーザー駆動電流量との関係をレーザー特性として取得する、ことを特徴とする。
【００３８】
これにより、実際の記録中に使用する波形が有するいずれの異なるパワーレベルをもレーザー発光検出のサンプル・ホールド対象として選択し、レーザー特性取得処理をすることができる。
【００３９】
また、本発明の請求項４に係る光ディスク記録制御方法は、請求項１に記載の光ディスク記録制御方法において、前記レーザーダイオードの記録動作中の温度を監視し、前記レーザーダイオードの温度が、記録開始時の温度からある一定の温度の上昇が検出されると、前記記録動作が中断したときに、前記レーザー特性取得処理を再度行い、前記再度取得したレーザー特性に基づいて、前記記録動作の再開時に必要なレーザー駆動電流量を算出する、ことを特徴とする。
【００４０】
これにより、レーザー特性取得処理の再実行によりレーザー特性を取得しなおし、次の実際の記録開始時の駆動電流値の算出に前記レーザー特性を用いることで、特に高温領域で非線形の特性を持つレーザーダイオードを用いた記録開始時にも安定した記録レーザーパワーで記録を開始することができる。
【００４１】
また、本発明の請求項５に係る光ディスク記録制御方法は、請求項４に記載の光ディスク記録制御方法において、前記レーザー特性の再取得処理において、前記記録動作の再開時の記録レーザーパワーが予め分かっているとき、前記レーザー特性の再取得処理の目標発光点を、前記予め分かっている記録レーザーパワーを含むその前後２点のみに絞り込む、ことを特徴とする。
【００４２】
これにより、レーザー特性取得処理の処理時間を短縮することができる。
【００４３】
また、本発明の請求項６に係る光ディスク記録制御方法は、請求項１に記載の光ディスク記録制御方法において、前記実際の記録時に使用する記録レーザー光の波形が、１つのマーク信号で異なるパワーレベルを有し、そのうちの一方のパワーレベルが前記サンプル・ホールド回路による検出が困難である所定のレベルであるとき、前記レーザー特性取得処理時に前記所定のレベルにおけるレーザー特性を取得し、該取得したレーザー特性を使用して、前記記録時の駆動電流量を決定する、ことを特徴とする。
【００４４】
これにより、非線形の特性を持つレーザーダイオードを用いた記録時にも安定した記録レーザーパワーで記録をすることができる。
【００４５】
また、本発明の請求項７に係る光ディスク記録制御方法は、請求項１に記載の光ディスク記録制御方法において、前記実際の記録中に使用するレーザー光の波形が、１つのマーク信号で異なるパワーレベルを有するものであり、前記レーザー特性取得処理時に、前記レーザーダイオードドライバーの出力を複数段階に分けて前記レーザー光のパワーレベルごとに担当させ、いずれものパワーレベルにおける目標発光量とその発光に要したレーザー駆動電流量との関係をレーザー特性として取得する、ことを特徴とする。
【００４６】
これにより、取得するレーザー特性が正確になり、非線形の特性を持つレーザーダイオードを用いた記録開始時にも安定した記録レーザーパワーで記録を開始することができる。
【発明の効果】
【００４７】
本発明の光ディスク記録制御方法によれば、レーザー特性取得処理により、実際の記録開始時に想定される程度の高い記録パワー以上の点をレーザー発光目標とすることが可能であり、それと同時に３点以上の目標発光量を設定可能とすることで、隣接する２点間のレーザー発光検出量と駆動電流値とから算出されたレーザー特性を複数記憶し、実際の記録開始時の記録レーザーパワーとして指定されたパワーに最も近い特性を持つ特性を選択使用することが可能である。なお、該特許の選択使用時には、高パワー発光することが想定されているので、レーザー保護の観点から、レーザー発光状態は、ＤＣ発光状態ではなくパルス発光状態のみ使用可能とする。
【００４８】
これにより、記録開始時の記録レーザーパワーが高い場合にも、記録開始時から指定されたパワーとの乖離を防止することができ、安定した記録状態を実現可能となる。
【発明を実施するための最良の形態】
【００４９】
（実施の形態１）
以下、本発明の実施の形態１による光ディスク記録制御方法について図１ないし図３を用いて説明する。
【００５０】
本実施の形態１は、レーザー特性取得処理時に設定する目標発光量を３点以上とし、かつ、レーザー特性取得処理時のレーザー発光をパルス発光状態で行うようにしたものである。
【００５１】
図１は、本実施の形態１における、レーザー特性取得処理を説明するための図である。
図１（ａ）は、駆動電流とレーザー発光量の関係を表している。図１（ａ）において、横軸は、レーザーダイオードドライバーから出力される駆動電流であり、縦軸は、レーザーダイオードから出射されるレーザー発光量である。
【００５２】
この図では、レーザー特性取得処理の目標発光量は４点設定されている例であり、Ｌ１１、Ｌ１２、Ｌ１３、およびＬ１４は、レーザー特性取得に必要なそれぞれ１点目、２点目、３点目、４点目の目標発光量である。
【００５３】
また、図１（ｂ）は、時間とレーザー発光量の関係を表している。図１（ｂ）において、横軸は、レーザー特性取得処理の時間方向軸であり、縦軸は、レーザーダイオードから出射されるレーザー発光量である。Ｔ１１は、１点目の目標発光量に到達した際の駆動値とレーザー発光量を駆動値制御部１０７が記憶することに要している区間であり、Ｔ１２、Ｔ１３、Ｔ１４、Ｔ１５も同様にそれぞれ２点目、３点目、４点目の目標発光量に到達した際の駆動値とレーザー発光量を駆動値制御部１０７が記憶することに要している区間である。
【００５４】
本実施の形態１では、図１に示すように、レーザー特性取得処理において、４点の目標発光量に対して、それに必要となる駆動電流をパルス発光状態で増加させていく。そして、隣接する２点間の駆動電流とレーザー発光量の関係を、レーザー特性として取得する。実際の記録開始時に指定されるレーザー発光パワーに対して、取得したレーザー特性を使用して駆動電流値を算出する。このようにすることで、記録開始時から安定した記録状態で記録を行うことができる。
【００５５】
図１において、図１０と異なるのは、目標発光量が３点以上設定可能とした点、また、目標発光量を、Ｌ１３からＬ１４の区間のように、高倍速記録時の高記録レーザーパワー相当のレベルまで設定可能とした点である。
【００５６】
図３は、図１（ｂ）の時間方向軸の拡大図であり、時間とレーザー発光量の関係を表したものである。図３において、横軸は、レーザー特性取得処理の時間方向軸であり、縦軸は、レーザー発光量を表す。
【００５７】
サンプル・ホールド信号３２は、ＯＮ（この図の場合Ｈ）の際に、レーザー発光量の値をサンプルし、ＯＦＦ（この図の場合Ｌ）の際にはレーザー発光量のサンプルを行わず前回のサンプル時の値にホールドさせる。
【００５８】
検出信号３１は、サンプルホールド処理された後の信号であり、レーザー発光量が、サンプル・ホールド信号３２によって制御されている様子を表している。
【００５９】
なお、本実施の形態１では、レーザー特性取得処理に用いるレーザーダイオードドライバー（ＬＤＤ）が１チャンネルであり、レーザーダイオードドライバーの出力は、図５に示すようなものとなる。図５は、時間とレーザー発光量の関係を表したものである。図５において、横軸は、レーザー特性取得処理の時間方向軸であり、縦軸は、レーザー発光量を表す。
【００６０】
次に、目標発光量が６点設定されている場合のレーザー特性取得処理について、図２を用いて説明する。
【００６１】
図２（ａ）は、駆動電流とレーザー発光量の関係を表したものであり、図２（ｂ）は、パワー区間とレーザー特性との関係を示す表である。
【００６２】
図２（ａ）において、横軸は、レーザーダイオードドライバーから出力される駆動電流であり、縦軸は、レーザーダイオードから出射されるレーザー発光量である。Ｌ２１、Ｌ２２、Ｌ２３、Ｌ２４、Ｌ２５およびＬ２６は、レーザー特性取得に必要なそれぞれ１点目、２点目、３点目、４点目、５点目、および６点目の目標発光量である。
【００６３】
Ａ１、Ａ２、Ａ３、Ａ４およびＡ５は、レーザー特性取得処理によって取得された特性を表すものであり、それぞれＬ２１とＬ２２の２点間の目標発光量から得られた駆動電流とレーザー発光量の関係、Ｌ２２とＬ２３の２点間の目標発光量から得られた駆動電流とレーザー発光量の関係、Ｌ２３とＬ２４の２点間の目標発光量から得られた駆動電流とレーザー発光量の関係、Ｌ２４とＬ２５の２点間の目標発光量から得られた駆動電流とレーザー発光量の関係、およびＬ２５とＬ２６の２点間の目標発光量から得られた駆動電流とレーザー発光量の関係である。
【００６４】
本実施の形態１では、起動時のレーザー特性取得処理において、ＤＣ発光ではなくパルス状に発光させることで、高パワー領域まで発光可能であるため、図２（ａ）に示すように、小刻みにスロープの特性を取得することができる。そして、小刻みに取得した特性を、図２（ｂ）に示すようにテーブル化し、この図２（ｂ）のテーブルに基づいて、記録開始時の実際のパワーに近い特性を決定し、該決定した特性を使用して記録レーザーパワーを制御する。これにより、記録開始時のパワーずれを抑制でき、記録開始時のパワー設定の応答性や精度そのものを向上させることができる。
【００６５】
次に、本実施の形態１の特性を、従来のものと比較して述べる。
近年の高倍速化などで記録開始時の記録レーザーパワーが高くなる傾向があるため、低パワー領域における２点間のみを対象とした従来のレーザー特性取得処理で取得した特性では、レーザーダイオードの実際の特性が高パワー領域で非線形となる場合に、指定された記録レーザーパワーで発光するために必要な駆動電流を算出することができなかった。
【００６６】
これに対し、本実施の形態１では、図１や図２のように、高パワー領域におけるレーザー特性をも取得することができるため、レーザーダイオードの特性が非線形である場合にも、その特性と指定された記録レーザーパワーから、記録に必要な駆動電流の算出を正しく行うことができる。
【００６７】
このように、本実施の形態１では、レーザーダイオードをパルス発光させることにより、高倍速記録時の高記録レーザーパワーに相当するレベルでの発光を可能とし、レーザー特性取得処理の際の目標発光量を、低パワー領域から実際の記録時の高パワー領域までの範囲内で３点以上設定可能としているので、複数の特性を取得可能であり、実際の記録発光パワーが指定された際に、複数取得されている特性の中からもっとも近いパワー領域に該当する特性を選択して使用することができ、記録開始時から安定した記録状態で記録を行うことができる。
【００６８】
（実施の形態２）
以下、本発明の実施の形態２による光ディスク記録制御方法について図４を用いて説明する。
【００６９】
図４は、本実施の形態２における、時間とレーザー発光量の関係を表したものである。図４において、横軸は、レーザー特性取得処理の時間方向軸であり、縦軸は、レーザー発光量を表す。
【００７０】
サンプル・ホールド信号４３，４４は、ＯＮ（この図の場合Ｈ）の際に、レーザー発光量の値をサンプルし、ＯＦＦ（この図の場合Ｌ）の際には、レーザー発光量のサンプルを行わず、前回のサンプル時の値にホールドさせる信号である。
【００７１】
検出信号４１，４２は、それぞれのレーザー発光量が、サンプル・ホールド信号４３，４４によって制御されている様子を表している。
【００７２】
図４において、図３と異なる点は、出力させる発光波形が、図３はモノパルス状態の発光であるのに対し、図４では記録中に実際に使用するマーク部の波形と同じパルスを出力することにある。
【００７３】
また、図４の発光波形は、１回の発光において発光波形の発光レベルが２段存在するという例であるが、そのどちらをサンプル・ホールドの対象とするかを選択可能であることを表している。
【００７４】
なお、本実施の形態２では、レーザー特性取得処理に用いるレーザーダイオードドライバー（ＬＤＤ）は１チャンネルのみである。
【００７５】
次に、本実施の形態２の特性を、従来のものと比較して述べる。
従来では、実記録に使用する記録波形が、１つのマーク部において異なるパワーレベルを２つ以上有するマークからなり、そのうちの一方のマークレベルで、通常は高パワーレベルとなるものであり、実記録中はそのレベルの発光時間幅が短いために直接サンプルすることが困難なとき、他方のサンプル可能なマークレベル（通常は、低いほうのパワーレベルであり、発光時間幅が長いレベル）をサンプルし、低いレベル間で取得したレーザー特性を高パワー領域に線形補間することで、サンプル困難なマークレベルの記録発光パワーを算出する処理を行っていた。しかし、レーザー特性が高パワー領域で非線形となると、高いマークレベルが所望のパワーからずれたパワーを出力することになっていた。このずれは、レーザー特性の線形性が非線形であればあるほど大きいものであった。
【００７６】
これに対し、本実施の形態２では、図４のように、レーザー特性取得処理において、高いマークレベルも、サンプル・ホールド回路による検出が可能なものとすることにより、高パワー領域におけるレーザー特性を正確に取得することができる。つまり、実記録中に、サンプル・ホールド回路による検出が可能な低いマークレベルのサンプル値から、サンプル・ホールド回路による検出が困難な高いマークレベルの値を算出する際に、レーザー特性取得処理において得られた２つのマークレベルにおけるレーザー特性を使用して、記録時の駆動電流値を算出することができるため、高パワー領域における駆動電流値の算出精度を向上させることができ、安定した記録状態で記録を行うことができる。
【００７７】
このように、本実施の形態２では、前記レーザー特性取得処理時のレーザー発光は、実際の記録中に使用する波形と同じ波形を使用して出力させるようにしたので、レーザー発光量の検出をより記録中に近い形で行うことができ、取得するレーザー特性がより正確な特性となり、安定した状態で記録を行うことができる。
【００７８】
また、実際の記録中に使用するレーザー光の波形が、１つのマーク信号で２つの異なるパワーレベルを有するものであり、レーザー特性取得処理時に、実際の記録中に使用するレーザー光のいずれものパワーレベルにおける目標発光量とその発光に要したレーザー駆動電流量との関係をレーザー特性として取得するようにしたので、実際の記録中に使用する波形が有するいずれものパワーレベルをもレーザー発光検出のサンプル・ホールド対象として選択し、レーザー特性取得処理をすることができる。
【００７９】
また、レーザー発光波形が有する２つの異なるパワーレベルのうち、一方のパワーレベルが、サンプル・ホールド回路による検出が困難である所定のレベルであるとき、前記レーザー特性取得処理時に前記所定のレベルにおけるレーザー特性を取得し、該取得したレーザー特性を使用して、前記記録時の駆動電流値を決定するようにしたので、非線形の特性を持つレーザーダイオードを用いた記録時にも安定した記録レーザーパワーで記録をすることができる。
【００８０】
（実施の形態３）
以下、本発明の実施の形態３による光ディスク記録制御方法について図５を用いて説明する。
【００８１】
本実施の形態３は、実際の記録中に使用するレーザー光の波形が１つのマーク信号で異なるパワーレベルを有するものとした場合の実施の形態である。
【００８２】
図６に、本実施の形態３における、時間とレーザー発光量の関係を示す。図６において、横軸は、レーザー特性取得処理の時間方向軸であり、縦軸は、レーザー発光量を表す。
【００８３】
通常、レーザーダイオード（ＬＤＤ）は、記録時のレーザー光のパワーレベルに応じて複数のチャンネルに分けられ、実際の記録時には、この複数のチャンネルの出力を加算することで、レーザー駆動電流を出力している。
【００８４】
本実施の形態３では、レーザーダイオードドライバー（ＬＤＤ）の複数ある出力チャンネルの中から、実際の記録中に低パワー領域を担当するチャンネルを、レーザー特性取得処理でも低パワー領域を担当させるようにした。つまり、実際の記録中に中パワー領域を担当するチャンネルをレーザー特性取得処理でも中パワー領域を担当させ、実際の記録中に高パワー領域を担当するチャンネルをレーザー特性取得処理でも高パワー領域を担当させる。
【００８５】
このように、本実施の形態３では、実際の記録中に使用するレーザー光の波形が１つのマーク信号で複数の異なるパワーレベルを有するものであり、レーザーダイオードドライバーの出力を複数段階に分けて、各パワーレベルごとに担当させ、いずれものレベルにおける目標発光量とその発光に要したレーザー駆動電流量との関係をレーザー特性として取得するようにしたので、レーザー発光量検出をより記録中に近い形で行うことができ、取得するレーザー特性がより正確な特性となり、安定した状態で記録を行うことができる。
【００８６】
なお、上記実施の形態１〜３では、光ディスク装置の起動時、つまり、記録動作の開始前に行ったレーザー特性取得処理で得られたレーザー特性に基づいて、記録動作中の記録レーザーパワーを制御する場合について説明したが、記録動作中のレーザーダイオードの温度に基づいて、レーザー特性取得処理を再度行い、再度取得したレーザー特性に基づいて、記録レーザーパワーを制御すれば、より高精度の記録レーザーパワーの制御を行うことが可能である。
【００８７】
具体的には、レーザーダイオードの記録動作中の温度を監視し、記録開始時の温度からある一定の温度上昇が検出されると、記録実行中の記録と記録が中断するタイミングがある場合は、その中断したときに、あるいは、記録実行中に記録が中断するタイミングが無い場合は、記録動作を一時的に（強制的に）中断させて、レーザー特性取得処理を再度実行う。そして、再取得したレーザー特性に基づいて、記録動作の再開時に必要なレーザー駆動電流量を算出する。これにより、記録動作によって発生するレーザーダイオードの温度上昇に伴うレーザー特性の変化を改めて取得することができるため、記録を再開したときに、記録発光パワーを正しく算出することができ、安定した記録状態で記録を行うことができる。
【００８８】
また、上記記録動作の中断中に行うレーザー特性の再取得処理において、記録動作の再開時の記録レーザーパワーが予め分かっている場合には、レーザー特性の再取得処理時に指定する目標発光点を、その分かっている記録レーザーパワーを含むその前後２点のみに絞り込むことで、レーザー特性取得処理の実行時間を短縮することができる。
【産業上の利用可能性】
【００８９】
本発明の光ディスク記録制御方法は、レーザーダイオードのレーザー特性が非線形である場合にも、記録開始時の記録パワーを正確に算出することが可能であり、安定した記録状態で記録を行うことができ、非常に有用である。
【図面の簡単な説明】
【００９０】
【図１】本発明の実施の形態１における、光ディスクレーザー特性取得処理の動作概略図である。
【図２】上記実施の形態１における、光ディスクレーザー特性取得処理によって得られた特性のテーブルである。
【図３】上記実施の形態１における、光ディスクレーザー特性取得処理中のサンプル・ホールド信号の動作概略図である。
【図４】本発明の実施の形態２における、光ディスクレーザー特性取得処理の動作概略図およびサンプル・ホールド信号の動作概略図である。
【図５】上記実施の形態１における、光ディスクレーザー特性取得処理（レーザーダイオードドライバー（ＬＤＤ）１チャンネルのみ使用）の動作概略図である。
【図６】本発明の実施の形態３における、光ディスクレーザー特性取得処理（レーザーダイオードドライバー（ＬＤＤ）複数チャンネル積み上げ方式）の動作概略図である。
【図７】光ディスク装置の概略構成を示す図である。
【図８】従来の光ディスクレーザー特性取得処理（ＤＣ発光）の動作概略図である。
【図９】従来の光ディスクレーザー特性取得処理において決定されたレーザー特性の理想値と実測値を示す図である。
【図１０】従来の光ディスクレーザー特性取得処理（パルス発光）の動作概略図である。
【符号の説明】
【００９１】
１０１  レーザーダイオード（ＬＤ）
１０２  光量検出部
１０３  スイッチ
１０４  記録系サンプル・ホールド（ＳＨ）回路
１０５  再生系サンプル・ホールド（ＳＨ）回路
１０６  ＡＤコンバータ
１０７  駆動値制御部
１０８  ＤＡコンバータ
１０９  レーザーダイオードドライバー（ＬＤＤ）
２０１  レーザー特性の理想値
２０２  レーザー特性の実測値
３１  サンプルホールド処理された後の検出信号
３２  サンプルホールド信号
４１  サンプルホールド処理された後の検出信号
４２  サンプルホールド処理された後の検出信号
４３  サンプルホールド信号
【図１】
2008299985.tif 000003
【図２】
2008299985.tif 000004
【図３】
2008299985.tif 000005
【図４】
2008299985.tif 000006
【図５】
2008299985.tif 000007
【図６】
2008299985.tif 000008
【図７】
2008299985.tif 000009
【図８】
2008299985.tif 000010
【図９】
2008299985.tif 000011
【図１０】
2008299985.tif 000012